【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信するスクラップ・ブック画像データ送信手段，
上記スクラップ・ブック画像データ送信手段からクライアント・コンピュータにスクラップ・ブック画像データが送信されたことによりクライアント・コンピュータの表示装置の表示画面に表示されたスクラップ・ブック画像が選択されたことに応じてクライアント・コンピュータから送信される選択コマンドを受信する選択コマンド受信手段，
上記選択コマンド受信手段によって選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信する編集用スクラップ・ブック画像データ送信手段，
上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信する利用態様データ受信手段，および
上記利用態様データ受信手段によって受信した利用態様データによって表されている利用態様にもとづいて，上記編集用スクラップ・ブック画像の作成者に対する使用料を決定する使用料決定手段，
を備えたスクラップ・ブック・サーバ。
【請求項２】
上記使用料決定手段は，
編集用スクラップ・ブック画像の閲覧のみが許可されており，その閲覧が行われる場合と，編集用スクラップ・ブック画像から写真画像が除かれ，その除かれた写真画像に別の写真画像を配置するシミュレーションが行われる場合，編集用スクラップ画像に含まれている部品画像を変更する，あるいは部品画像の配置位置を変更するシミュレーションが行われる場合と，編集用スクラップ・ブック画像に含まれている部品画像のうち編集用スクラップ画像の作成者が作成した部品画像を抽出し，抽出した部品画像を利用して新たにスクラップ・ブック作成のシミュレーションが行われる場合と，編集用スクラップ・ブック画像に含まれている部品画像のうち編集用スクラップ・ブック画像の作成者が作成した部品画像を抽出して新たにスクラップ・ブック作成のシミュレーションが行われる場合において，抽出された編集用画像の二次利用が許可されていると許可されていないときと，編集用スクラップ・ブック画像を利用してスクラップ・ブック作成の注文データがクライアント・コンピュータから送信される場合とでスクラップ・ブック画像の作成者に対する使用料が異なるように決定するものである，
請求項１に記載のスクラップ・ブック・サーバ。
【請求項３】
上記利用態様データ受信手段は，
編集用スクラップ・ブック画像の複数の利用態様のうち許可する利用態様と不許可の利用態様とが設定されており，許可されている利用態様でのスクラップ・ブック作成のシミュレーションにもとづいてクライアント・コンピュータから送信される利用態様データを受け付けるものである，
請求項1に記載のスクラップ・ブック・サーバ。
【請求項４】
スクラップ・ブック画像テータ送信手段が，台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信し，
選択コマンド受信手段が，上記スクラップ・ブック画像データ送信手段からクライアント・コンピュータにスクラップ・ブック画像データが送信されたことによりクライアント・コンピュータの表示装置の表示画面に表示されたスクラップ・ブック画像が選択されたことに応じてクライアント・コンピュータから送信される選択コマンドを受信し，
編集用スクラップ・ブック画像データ送信手段が，上記選択コマンド受信手段によって選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信し，
利用態様データ受信手段が，上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信し，
使用料決定手段が，受信した利用態様データによって表される上記編集用スクラップ・ブック画像の利用態様にもとづいて，上記編集用スクラップ・ブック画像の作成者に対する使用料を決定する，
スクラップ・ブック・サーバの制御方法。
【請求項５】
台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信させ，
クライアント・コンピュータにスクラップ・ブック画像データが送信されたことによりクライアント・コンピュータの表示装置の表示画面に表示されたスクラップ・ブック画像が選択されたことに応じてクライアント・コンピュータから送信される選択コマンドを受信させ，
選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信させ，
クライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信させ，
受信した利用態様データによって表される上記編集用スクラップ・ブック画像の利用態様にもとづいて，上記編集用スクラップ・ブック画像の作成者に対する使用料を決定させるようにスクラップ・ブック・サーバを制御するプログラム。
【請求項６】
請求項５に記載のプログラムを格納した記録媒体。